(57)【要約】【課題】光伝送装置と複数の遠隔装置との間の接続の制御を容易にする。【解決手段】光伝送装置は、光合分波器を介して複数の遠隔装置へＷＤＭ信号を送信し、光合分波器を介して複数の遠隔装置から光信号を受信する。光伝送装置は、複数の光送受信器と、波長選択スイッチと、複数の光送受信器および波長選択スイッチを制御するコントローラとを有する。各光送受信器は、コントローラにより制御される波長可変光源を含む。コントローラは、宛先遠隔装置が受信する光信号の波長に応じて、宛先遠隔装置に対応して選択される光送受信器の波長可変光源の波長を制御する。コントローラは、複数の光送受信器によりそれぞれ波長可変光源を使用して生成される複数の光信号からＷＤＭ信号を生成すると共に、複数の遠隔装置から受信する複数の光信号を波長に応じて複数の光送受信器に導くように、波長選択スイッチを制御する。【選択図】図５
2017103504.tif 000002
【特許請求の範囲】
【請求項１】
光合分波器を介して複数の遠隔装置へＷＤＭ信号を送信し、前記光合分波器を介して前記複数の遠隔装置から複数の光信号を受信する光伝送装置であって、
複数の光送受信器と、
波長選択スイッチと、
前記複数の光送受信器および前記波長選択スイッチを制御するコントローラと、を有し、
各光送受信器は、前記コントローラにより制御される波長可変光源を含み、
前記コントローラは、前記複数の遠隔装置の中から指定される宛先遠隔装置が受信する光信号の波長に応じて、前記宛先遠隔装置に対応して前記複数の光送受信器の中から選択される対応光送受信器の波長可変光源の波長を制御し、
前記コントローラは、前記複数の光送受信器によりそれぞれ波長可変光源を使用して生成される互いに波長の異なる複数の光信号からＷＤＭ信号を生成すると共に、前記複数の遠隔装置から受信する複数の光信号を波長に応じて前記複数の光送受信器に導くように、前記波長選択スイッチを制御する
ことを特徴とする光伝送装置。
【請求項２】
前記コントローラは、前記対応光送受信器が接続される前記波長選択スイッチの対応光ポートの受信波長が、前記宛先遠隔装置が受信する光信号の波長と一致するように、前記波長選択スイッチを制御する
ことを特徴とする請求項１に記載の光伝送装置。
【請求項３】
前記コントローラは、前記対応光ポートの出力波長が、前記宛先遠隔装置が送信する光信号の波長と一致するように、前記波長選択スイッチを制御する
ことを特徴とする請求項２に記載の光伝送装置。
【請求項４】
前記波長選択スイッチは、複数の波長選択スイッチ回路から構成され、
前記複数の遠隔装置の中の２以上の遠隔装置が協調伝送を行うときには、前記２以上の遠隔装置との間で通信を行う２以上の光送受信器が同じ波長選択スイッチ回路に接続される
ことを特徴とする請求項１に記載の光伝送装置。
【請求項５】
前記光伝送装置と前記光合分波器との間に設けられ、前記ＷＤＭ信号を分岐する第１の光スプリッタと、
前記光伝送装置と前記光合分波器との間に設けられ、前記複数の遠隔装置から送信される複数の光信号を分岐する第２の光スプリッタと、
前記第１の光スプリッタにより分岐される前記ＷＤＭ信号および前記第２の光スプリッタにより分岐される前記複数の光信号に基づいて、前記光伝送装置および前記複数の遠隔装置を含む光伝送システムの状態を判定する状態判定部、をさらに含み、
前記複数の光送受信器により生成される複数の光信号および前記複数の遠隔装置から送信される複数の光信号にはそれぞれ識別可能な監視信号が重畳されており、
前記状態判定部は、各光信号に重畳されている監視信号がそれぞれ検出されるか否かに基づいて、前記光伝送システムの状態を判定する
ことを特徴とする請求項１に記載の光伝送装置。
【請求項６】
前記状態判定部は、前記第１の光スプリッタにより分岐される前記ＷＤＭ信号および前記第２の光スプリッタにより分岐される前記複数の光信号を電気信号に変換する受光器を含み、前記受光器から出力される電気信号に基づいて、前記光伝送システムの状態を判定する
ことを特徴とする請求項５に記載の光伝送装置。
【請求項７】
光伝送装置と、複数の遠隔装置と、前記光伝送装置と前記複数の遠隔装置との間に設けられる光合分波器と、を含む光伝送システムであって、
各遠隔装置は、
予め指定された波長の光信号を受信する受信回路と、
予め指定された波長の光信号を送信する送信回路と、を備え、
前記複数の遠隔装置が受信する光信号の波長は互いに異なり、
前記複数の遠隔装置が送信する光信号の波長は互いに異なり、
前記光伝送装置は、
複数の光送受信器と、
波長選択スイッチと、
前記複数の光送受信器および前記波長選択スイッチを制御するコントローラと、を含み、
各光送受信器は、前記コントローラにより制御される波長可変光源を含み、
前記コントローラは、前記複数の遠隔装置の中から指定される宛先遠隔装置が受信する光信号の波長に応じて、前記宛先遠隔装置に対応して前記複数の光送受信器の中から選択される光送受信器の波長可変光源の波長を制御し、
前記コントローラは、前記複数の光送受信器によりそれぞれ波長可変光源を使用して生成される互いに波長の異なる複数の光信号からＷＤＭ信号を生成すると共に、前記複数の遠隔装置から受信する複数の光信号を波長に応じて前記複数の光送受信器に導くように、前記波長選択スイッチを制御し、
前記光合分波器は、前記波長選択スイッチにより生成されるＷＤＭ信号を前記複数の遠隔装置へ導くと共に、前記複数の遠隔装置から受信する複数の光信号を前記波長選択スイッチに導く
ことを特徴とする光伝送システム。
【発明の詳細な説明】
【技術分野】
【０００１】
本発明は、波長分割多重信号を伝送する光伝送装置および光伝送システムに係わる。
【背景技術】
【０００２】
近年、モバイルトラヒックの増加に伴い、基地局と収容局とを接続するアクセスネットワークのトラヒックも増加してきている。収容局は、複数の基地局を収容することができる。
【０００３】
他方、ＰＯＮ（Passive Optical Network）システムが広く普及している。ＰＯＮシステムは、ＯＤＮ（Optical Distribution Network）上に構築され、中央局から複数の端末へ信号を同報することができる。このため、既存のＰＯＮシステムを利用してモバイルトラヒックのためのアクセスネットワークを実現する構成が提案されている。さらに、モバイルトラヒックのためのアクセスネットワークに波長分割多重（ＷＤＭ：Wavelength Division Multiplexing）伝送を適用する構成も提案されている。
【０００４】
図１は、モバイルアクセスネットワークの一例を示す。図１に示す例では、収容局１０００は、ベースバンドユニット（ＢＢＵ：Baseband unit）１００１および光加入者線終端装置（ＯＬＴ：Optical Line Terminal）１００２を備える。また、収容局１０００には、パッシブスプリッタ１００３を介して複数の基地局が接続されている。各基地局は、光ネットワークユニット（ＯＮＵ：Optical Network Unit）および遠隔無線ヘッド（ＲＲＨ：Remote Radio Head）を備える。そして、各基地局によりセルが形成される。
【０００５】
ベースバンドユニット１００１は、基地局へ送信する信号を生成し、基地局から受信する信号を処理する。光加入者線終端装置１００２は、ベースバンドユニット１００１により生成される信号を光信号に変換し、基地局から受信する光信号を電気信号に変換する。パッシブスプリッタ１００３は、光加入者線終端装置１００２により生成される光信号を複数の基地局に分配し、複数の基地局から受信する光信号を光加入者線終端装置１００２に導く。
【０００６】
図１に示すモバイルアクセスネットワークにＷＤＭ伝送が適用される場合、収容局１０００は、複数の基地局に対して互いに異なる波長で光信号を生成する。このとき、光加入者線終端装置１００２は、複数の光信号を多重化してＷＤＭ信号を生成する。そして、ＷＤＭ信号は、パッシブスプリッタ１００３により各基地局へ分配される。すなわち、同じＷＤＭ信号が複数の基地局へ送信される。各基地局は、受信するＷＤＭ信号から目的信号を抽出する。また、複数の基地局は、互いに異なる波長で光信号を収容局１０００へ送信することができる。
【０００７】
なお、ＷＤＭ技術が適用されたＰＯＮシステムは、例えば、特許文献１に記載されている。
【先行技術文献】
【特許文献】
【０００８】
【特許文献１】特開２０１５−１５４３９９号公報
【発明の概要】
【発明が解決しようとする課題】
【０００９】
上述のモバイルアクセスネットワークにおいて、ある特定のエリアのトラヒックが増加することがある。この場合、そのエリアに配置されている複数の基地局が協調伝送（ＣｏＭＰ：Coordinated Multi Point transmission）を行うことが好ましい。協調伝送は、ＬＴＥ−Ａ（Long Term Evolution-Advance）で採用された技術であり、隣接する複数の基地局が協調して端末へ信号を送信する。このため、協調伝送を行う複数の基地局のセル内では、通信の品質および／または効率が向上する。図１（ａ）に示す斜線領域は、協調伝送が行われるセルを表している。また、トラヒックが大きいエリアが移動することがある。この場合、図１（ｂ）に示すように、協調伝送が行われるエリアも移動する。なお、以下の記載では、協調伝送を行う基地局を「協調基地局」と呼ぶことがある。
【００１０】
ここで、モバイルアクセスネットワークにＷＤＭ伝送が適用される場合、収容局１０００は、複数の基地局に対して互いに異なる波長の光信号を送信する。また、複数の基地局は、互いに異なる波長の光信号を収容局１０００へ送信する。そして、協調伝送を行うエリアが移動するときは、収容局１０００と複数の協調基地局との間で使用する波長の割当てが変更される。
【００１１】
収容局１０００と基地局との間で使用する波長の割当てを変更するためには、収容局１０００と各基地局との間で制御シーケンスが行われる。例えば、各基地局が波長可変光源および波長可変フィルタを備える場合、収容局１０００は、各協調基地局に対して送信波長および受信波長を指定する情報を通知する。このとき、必要に応じて、収容局１０００と各基地局との間でネゴシエーションが行われる。
【００１２】
なお、この問題は、協調伝送を行うモバイルアクセスネットワークのみで発生するものではなく、光伝送装置と複数の遠隔装置とが接続される光伝送システムにおいて発生し得る。
【００１３】
本発明の１つの側面に係わる目的は、光伝送装置と複数の遠隔装置との間の接続の制御を容易にすることである。
【課題を解決するための手段】
【００１４】
本発明の１つの態様の光伝送装置は、光合分波器を介して複数の遠隔装置へＷＤＭ信号を送信し、光合分波器を介して複数の遠隔装置から複数の光信号を受信する。光伝送装置は、複数の光送受信器と、波長選択スイッチと、複数の光送受信器および波長選択スイッチを制御するコントローラとを有する。各光送受信器は、コントローラにより制御される波長可変光源を含む。コントローラは、複数の遠隔装置の中から指定される宛先遠隔装置が受信する光信号の波長に応じて、宛先遠隔装置に対応して複数の光送受信器の中から選択される光送受信器の波長可変光源の波長を制御する。コントローラは、複数の光送受信器によりそれぞれ波長可変光源を使用して生成される互いに波長の異なる複数の光信号からＷＤＭ信号を生成すると共に、複数の遠隔装置から受信する複数の光信号を波長に応じて複数の光送受信器に導くように、波長選択スイッチを制御する。
【発明の効果】
【００１５】
上述の態様によれば、光伝送装置と複数の遠隔装置との間の接続の制御が容易になる。
【図面の簡単な説明】
【００１６】
【図１】モバイルアクセスネットワークの一例を示す図である。
【図２】光伝送システムの一例を示す図である。
【図３】協調伝送の一例を示す図である。
【図４】収容局と複数の基地局との間の通信を実現する光伝送システムの一例を示す図である。
【図５】第１の実施形態に係わる光伝送システムの一例を示す図である。
【図６】第１の実施形態において行われる協調伝送の例を示す図（その１）である。
【図７】第１の実施形態において行われる協調伝送の例を示す図（その２）である。
【図８】第１の実施形態のバリエーション（その１）を示す図である。
【図９】第１の実施形態のバリエーション（その２）を示す図である。
【図１０】第１の実施形態のバリエーション（その３）を示す図である。
【図１１】収容局の処理の一例を示すフローチャートである。
【図１２】障害検出機能の一例を示す図である。
【図１３】光信号にトーン信号を重畳する機能の一例を示す図である。
【図１４】障害検出手順において検出されるトーン信号の例を示す図である。
【図１５】障害を検出する方法の一例を示すフローチャートである。
【図１６】収容局内の設定動作を確認する方法を説明する図である。
【図１７】収容局内の設定動作を確認する手順において検出されるトーン信号の例を示す図である。
【発明を実施するための形態】
【００１７】
図２は、本発明の実施形態に係わる光伝送システムの一例を示す。図２に示す光伝送システムは、収容局１、複数の基地局２、光スプリッタ３を備える。光スプリッタ３は、この実施例では、電力を必要としない受動素子である。すなわち、収容局１、複数の基地局２、光スプリッタ３は、ＰＯＮ（Passive Optical Network）システムを構成する。
【００１８】
収容局１は、複数のベースバンドユニット（ＢＢＵ：Baseband unit）１１および光加入者線終端装置（ＯＬＴ：Optical Line Terminal）１２を備える。各ベースバンドユニット１１は、対応する基地局２へ送信する信号を生成し、対応する基地局２から受信する信号を処理する。光加入者線終端装置１２は、複数のトランシーバ１３および光回路１４を備える。この例では、１つのベースバンドユニット１１に対して１つのトランシーバ１３が設けられている。そして、各トランシーバ１３は、対応するベースバンドユニット１１により生成される信号を光信号に変換し、対応する基地局２から受信する光信号を電気信号に変換する。このとき、トランシーバ１３は、信号のフォーマットの変換を行ってもよい。なお、複数のトランシーバ１３は、互いに異なる波長の光信号を生成する。光回路１４は、複数のトランシーバ１３により生成される複数の光信号からＷＤＭ信号を生成する。また、光回路１４は、ネットワークから光スプリッタ３を介して受信する複数の光信号を波長に応じて対応するトランシーバ１３に導く。
【００１９】
光スプリッタ３は、収容局１から送信されるＷＤＭ信号を複数の基地局２に分配する。すなわち、同じＷＤＭ信号が複数の基地局２へ送信される。また、光スプリッタ３は、複数の基地局２から受信する複数の光信号を収容局１に導く。
【００２０】
基地局２は、光ネットワークユニット（ＯＮＵ：Optical Network Unit）２１および遠隔無線ヘッド（ＲＲＨ：Remote Radio Head）２２を備える。光ネットワークユニット２１は、トランシーバを含み、収容局１から受信するＷＤＭ信号から目的信号を抽出することができる。また、光ネットワークユニット２１は、収容局１へ光信号を送信することができる。各基地局２が受信する光信号の波長（すなわち、受信波長）は互いに異なっている。各基地局２から収容局１へ送信される光信号の波長（すなわち、送信波長）も互いに異なっている。遠隔無線ヘッド２２は、光ネットワークユニット２１により抽出された目的信号に基づいて無線信号を出力する。
【００２１】
なお、収容局１は、光伝送装置の一例である。基地局２は、遠隔装置の一例である。光スプリッタ３は、光合分波器の一例である。
【００２２】
図３は、図２に示す光伝送システムにおいて行われる協調伝送の一例を示す。図３に示す例では、ベースバンドユニット１１ａは、基地局２ａへ送信するデータａを生成する。また、ベースバンドユニット１１ｂは、基地局２ｂへ送信するデータｂを生成する。光加入者線終端装置１２は、データａを伝送する光信号およびデータｂを伝送する光信号を含むＷＤＭ信号を生成する。このＷＤＭ信号は、光スプリッタ３を介して各基地局（２ａ、２ｂ）へ分配される。基地局２ａは、受信ＷＤＭ信号からデータａを抽出し、無線信号を利用してデータａを出力する。同様に、基地局２ｂは、受信ＷＤＭ信号からデータｂを抽出し、無線信号を利用してデータｂを出力する。なお、基地局２ａ、２ｂは互いに隣接しており、２つのセルの一部が互いに重複しているものとする。
【００２３】
ここで、２つのセルが重複する領域内に端末５００が位置しているものとする。すなわち、基地局２ａから送信される無線信号および基地局２ｂから送信される無線信号が端末５００に到達するものとする。
【００２４】
このようなケースにおいて、ベースバンドユニット１１ａ、１１ｂが協調して同じデータを送信する。すなわち、図３に示すデータａおよびデータｂが互いに同じであるものとする。そして、基地局２ａ、２ｂが協調してデータ伝送を行う。そうすると、端末５００は、基地局２ａ、２ｂから同じデータを受信する。したがって、端末５００は、電波環境の良いセルの無線信号からデータを再生することができる。或いは、端末５００は、２つの無線信号の合成信号からデータを再生してもよい。いずれにしても、基地局２ａ、２ｂと端末５００との間の通信品質が向上する。
【００２５】
図４は、収容局と複数の基地局との間の通信を実現する光伝送システムの一例を示す。図４に示す実施例では、収容局１は、ベースバンドユニット１１ａ〜１１ｄ、トランシーバ１３ａ〜１３ｄ、およびＡＷＧ（Arrayed Waveguide Gating）１５を備える。なお、ＡＷＧ１５は、図２に示す光回路１４の一例である。各トランシーバ１３ａ〜１３ｄの送信器Ｔｘは、固定波長光源を利用して光信号を送信する。この例では、トランシーバ１３ａ〜１３ｄから送信される光信号の波長は、それぞれλ１〜λ４である。ＡＷＧ１５は、トランシーバ１３ａ〜１３ｄから出力される光信号を合波してＷＤＭ信号を生成する。また、ＡＷＧ１５は、ネットワークから光スプリッタ３を介して受信する複数の光信号を波長ごとに分離して対応するトランシーバ１３ａ〜１３ｄに導く。なお、ＡＷＧ１５の各光ポートには、それぞれ予め決められた波長が固定的に割り当てられている。例えば、トランシーバ１３ａを収容する光ポートは、波長λ１の光を受信し、波長λ１１の光を出力するように設計されている。
【００２６】
基地局２ａ〜２ｄは、それぞれ光ネットワークユニット（ＯＮＵ）２１ａ〜２１ｄを備える。各光ネットワークユニット２１ａ〜２１ｄの送信器Ｔｘは、波長可変光源を利用して収容局１へ光信号を送信することができる。各光ネットワークユニット２１ａ〜２１ｄの送信波長は、例えば、収容局１から指定される。また、各光ネットワークユニット２１ａ〜２１ｄの受信器Ｒｘは、波長可変ＢＰＦを利用して受信ＷＤＭ信号から目的波長の光信号を抽出することができる。各光ネットワークユニット２１ａ〜２１ｄの受信波長も、例えば、収容局１から指定される。
【００２７】
上記構成の光伝送システムにおいて、基地局２ａ、２ｂの協調伝送が行われるものとする。また、協調伝送を行うために、ベースバンドユニット１１ａが基地局２ａへデータａを送信し、ベースバンドユニット１１ｂが基地局２ｂへデータｂを送信する。
【００２８】
この場合、基地局２ａの光ネットワークユニット２１ａは、トランシーバ１３ａと通信を行うように設定される。即ち、光ネットワークユニット２１ａの受信器Ｒｘの受信波長がλ１に設定される。これにより、基地局２ａは、トランシーバ１３ａから送信されるデータａを受信ＷＤＭ信号から抽出することができる。また、光ネットワークユニット２１ａの送信器Ｔｘの送信波長がλ１１に設定される。これにより、基地局２ａから送信される光信号は、ＡＷＧ１５によりトランシーバ１３ａに導かれる。同様に、基地局２ｂの光ネットワークユニット２１ｂは、トランシーバ１３ｂと通信を行うように設定される。即ち、光ネットワークユニット２１ｂの受信波長がλ２に設定される。これにより、基地局２ｂは、トランシーバ１３ｂから送信されるデータｂを受信ＷＤＭ信号から抽出することができる。また、光ネットワークユニット２１ｂの送信波長がλ１２に設定される。これにより、基地局２ｂから送信される光信号は、ＡＷＧ１５によりトランシーバ１３ｂに導かれる。
【００２９】
この後、基地局２ａ、２ｂの協調伝送が行われる状態から、基地局２ｃ、２ｄの協調伝送が行われる状態に移行するものとする。この場合、収容局１は、トランシーバ１３ａ、１３ｂと光ネットワークユニット２１ｃ、２１ｄとの間で通信が行われるように、光ネットワークユニット２１ｃ、２１ｄの設定を変更する。具体的には、基地局２ｃの光ネットワークユニット２１ｃは、トランシーバ１３ａと通信を行うように設定される。即ち、光ネットワークユニット２１ｃの受信波長がλ１に設定される。また、光ネットワークユニット２１ｃの送信波長がλ１１に設定される。同様に、基地局２ｄの光ネットワークユニット２１ｄは、トランシーバ１３ｂと通信を行うように設定される。即ち、光ネットワークユニット２１ｄの受信波長がλ２に設定される。また、光ネットワークユニット２１ｄの送信波長がλ１２に設定される。
【００３０】
このように、図４に示す構成において協調伝送を行う基地局を変更するためには、収容局１と対応する基地局との間で制御シーケンスが行われる。上述の例では、収容局１は、基地局２ｃ、２ｄに対して送信波長および受信波長を指定する波長情報を通知し、基地局２ｃ、２ｄは、収容局１から与えられる波長情報に応じて波長可変光源および波長可変ＢＰＦの設定を変更する。加えて、収容局１は、基地局２ａ、２ｂに対して送信波長および受信波長の変更を指示する必要がある。
【００３１】
しかしながら、協調伝送を行う基地局の変更は、収容局と対応する基地局との間での制御シーケンスを行うことなく、収容局内の制御で実現されることが好ましい。よって、以下では、収容局内の制御で協調伝送を行う基地局の変更を実現できる構成を示す。
【００３２】
＜第１の実施形態＞
図５は、第１の実施形態に係わる光伝送システムの一例を示す。図５に示す例では、収容局１は、ベースバンドユニット１１ａ〜１１ｄ、トランシーバ１３ａ〜１３ｄ、波長選択スイッチ（ＷＳＳ：Wavelength Selective Switch）１６、コントローラ１７を備える。なお、波長選択スイッチ１６は、図２に示す光回路１４の一例である。また、トランシーバ１３ａ〜１３ｄおよび波長選択スイッチ１６は、光加入者線終端装置（ＯＬＴ）１２の中に実装される。
【００３３】
第１の実施形態では、各トランシーバ１３ａ〜１３ｄの送信器（Ｔｘ）３１は、波長可変光源を利用して光信号を送信することができる。トランシーバ１３ａ〜１３ｄの波長可変光源の波長は、それぞれコントローラ１７により制御される。すなわち、トランシーバ１３ａ〜１３ｄから送信される光信号の波長は、それぞれコントローラ１７により制御される。また、各トランシーバ１３ａ〜１３ｄは、波長選択スイッチ１６から導かれてくる光信号を受信する。
【００３４】
送信器３１の波長可変光源は、この実施例では、対応するベースバンドユニット１１から与えられるデータ信号により駆動される。すなわち、送信器３１は、直接変調により変調光信号を生成することができる。そして、送信器３１により生成される光信号は、波長選択スイッチ１６に導かれる。受信器（Ｒｘ）３２は、波長選択スイッチ１６から導かれてくる光信号を電気信号に変換し、さらにその電気信号を復調してデータを再生する。
【００３５】
各トランシーバ１３（１３ａ〜１３ｄ）と波長選択スイッチ１６との間は、この実施例では、それぞれ１本の光ファイバにより光学的に接続されている。すなわち、１本の光ファイバを介して双方向に光信号が伝送される。ここで、トランシーバ１３から波長選択スイッチ１６へ導かれる光信号の波長と、波長選択スイッチ１６からトランシーバ１３へ導かれる光信号の波長とは、互いに異なっている。なお、送信器３１および受信器３２は、光カプラを介して波長選択スイッチ１６に光学的に結合されるようにしてもよい。
【００３６】
波長選択スイッチ１６は、ネットワークと接続する光ポートＰ０および収容局１内のトランシーバ１３ａ〜１３ｄと接続する光ポートＰ１〜Ｐ４を備える。そして、波長選択スイッチ１６は、コントローラ１７から与えられる波長指示に従って、光ポートＰ１〜Ｐ４を介して受信する波長および光ポートＰ１〜Ｐ４を介して出力する波長をそれぞれ制御することができる。また、波長選択スイッチ１６は、光ポートＰ１〜Ｐ４を介して受信する光信号を多重化してＷＤＭ信号を生成することができる。このＷＤＭ信号は、光ポートＰ０を介してネットワークへ出力される。一方、光ポートＰ０を介して波長選択スイッチ１６に入力される複数の光信号は、波長に応じて、対応する光ポートＰ１〜Ｐ４を介して出力される。
【００３７】
基地局２ａ〜２ｄは、それぞれ光ネットワークユニット２１ａ〜２１ｄを備える。ただし、第１の実施形態では、各光ネットワークユニット２１ａ〜２１ｄの送信器（Ｔｘ）３３は、波長固定光源を利用して収容局１へ光信号を送信することができる。ここで、各光ネットワークユニット２１ａ〜２１ｄの送信波長は、それぞれ予め固定的に決められている。また、各光ネットワークユニット２１ａ〜２１ｄの受信器（Ｒｘ）３４は、波長固定バンドパスフィルタを利用して受信ＷＤＭ信号から目的波長の光信号を抽出することができる。
【００３８】
図６〜図７は、第１の実施形態の光伝送システムにおいて行われる協調伝送の一例を示す。なお、図６〜図７に示す例おいて、基地局２ａ、２ｂ、２ｃ、２ｄの送信器３３の送信波長は、それぞれλ１１、λ１２、λ１３、λ１４である。また、基地局２ａ、２ｂ、２ｃ、２ｄの受信器３４の受信波長は、それぞれλ１、λ２、λ３、λ４である。更に、協調伝送のためのデータ（データａおよびデータｂ）は、ベースバンドユニット１１ａ、１１ｂにより生成される。
【００３９】
基地局２ａ、２ｂ間での協調伝送を実現するためには、コントローラ１７は、ベースバンドユニット１１ａ、１１ｂと基地局２ａ、２ｂとの間で通信が行われるように、波長指示を利用してトランシーバ１３ａ、１３ｂおよび波長選択スイッチ１６を制御する。ここで、基地局２ａは、波長λ１の光信号を受信する。よって、トランシーバ１３ａから送信される光信号が基地局２ａの光ネットワークユニット２１ａにより受信されるように、コントローラ１７は、トランシーバ１３ａの送信波長をλ１に制御すると共に、波長選択スイッチ１６の光ポートＰ１の受信波長をλ１に制御する。また、基地局２ａは、波長λ１１の光信号を送信する。よって、基地局２ａから送信される光信号がトランシーバ１３ａに導かれるように、コントローラ１７は、波長選択スイッチ１６の光ポートＰ１の出力波長をλ１１に制御する。同様に、基地局２ｂは、波長λ２の光信号を受信する。よって、トランシーバ１３ｂから送信される光信号が基地局２ｂの光ネットワークユニット２１ｂにより受信されるように、コントローラ１７は、トランシーバ１３ｂの送信波長をλ２に制御すると共に、波長選択スイッチ１６の光ポートＰ２の受信波長をλ２に制御する。また、基地局２ｂは、波長λ１２の光信号を送信する。よって、基地局２ｂから送信される光信号がトランシーバ１３ｂに導かれるように、コントローラ１７は、波長選択スイッチ１６の光ポートＰ２の出力波長をλ１２に制御する。
【００４０】
図６に示す設定が完了すると、以下の協調伝送が実現される。なお、以下の記載では、波長λｘの光信号を「光信号λｘ」と呼ぶことがある。
【００４１】
トランシーバ１３ａは、データａを伝送する光信号λ１を生成する。また、トランシーバ１３ｂは、データｂを伝送する光信号λ２を生成する。そして、波長選択スイッチ１６は、光信号λ１および光信号λ２を含むＷＤＭ信号を生成する。このＷＤＭ信号は、光スプリッタ３により基地局２ａ〜２ｄに分配される。
【００４２】
基地局２ａの受信波長はλ１である。よって、基地局２ａは、受信ＷＤＭ信号から光信号λ１を抽出してデータａを再生する。基地局２ｂの受信波長はλ２である。よって、基地局２ｂは、受信ＷＤＭ信号から光信号λ２を抽出してデータｂを再生する。そして、基地局２ａ、２ｂは、再生データを使用して協調伝送を実行する。
【００４３】
基地局２ａは光信号λ１１を送信し、基地局２ｂは光信号λ１２を送信する。これらの光信号は、光スプリッタ３を介して波長選択スイッチ１６の光ポートＰ０に導かれる。ここで、波長選択スイッチ１６の光ポートＰ１の出力波長はλ１１に設定さている。したがって、波長選択スイッチ１６は、光ポートＰ０を介して入力される複数の光信号から光信号λ１１を選択して光ポートＰ１を介して出力する。この結果、基地局２ａから送信される光信号λ１１は、トランシーバ１３ａに導かれる。同様に、波長選択スイッチ１６の光ポートＰ２の出力波長はλ１２に設定さている。したがって、波長選択スイッチ１６は、光ポートＰ０を介して入力される複数の光信号から光信号λ１２を選択して光ポートＰ２を介して出力する。この結果、基地局２ｂから送信される光信号λ１２は、トランシーバ１３ｂに導かれる。
【００４４】
この後、基地局２ａ、２ｂ間の協調伝送が行われる状態から、基地局２ｃ、２ｄ間の協調伝送が行われる状態に移行するものとする。この場合、コントローラ１７は、図７に示すように、ベースバンドユニット１１ａ、１１ｂと基地局２ｃ、２ｄとの間で通信が行われるように、トランシーバ１３ａ、１３ｂおよび波長選択スイッチ１６を制御する。
【００４５】
基地局２ｃは、波長λ３の光信号を受信する。よって、トランシーバ１３ａから送信される光信号が基地局２ｃの光ネットワークユニット２１ｃにより受信されるように、コントローラ１７は、トランシーバ１３ａの送信波長をλ３に制御するとともに、波長選択スイッチ１６の光ポートＰ１の受信波長をλ３に制御する。また、基地局２ｃは、波長λ１３の光信号を送信する。よって、基地局２ｃから送信される光信号がトランシーバ１３ａに導かれるように、コントローラ１７は、波長選択スイッチ１６の光ポートＰ１の出力波長をλ１３に制御する。同様に、基地局２ｄは、波長λ４の光信号を受信する。よって、トランシーバ１３ｂから送信される光信号が基地局２ｄの光ネットワークユニット２１ｄにより受信されるように、コントローラ１７は、トランシーバ１３ｂの送信波長をλ４に制御するとともに、波長選択スイッチ１６の光ポートＰ２の受信波長をλ４に制御する。また、基地局２ｄは、波長λ１４の光信号を送信する。よって、基地局２ｄから送信される光信号がトランシーバ１３ｂに導かれるように、コントローラ１７は、波長選択スイッチ１６の光ポートＰ２の出力波長をλ１４に制御する。
【００４６】
図７に示す設定が完了すると、以下の協調伝送が実現される。すなわち、トランシーバ１３ａは、データａを伝送する光信号λ３を生成する。また、トランシーバ１３ｂは、データｂを伝送する光信号λ４を生成する。そして、波長選択スイッチ１６は、光信号λ３および光信号λ４を含むＷＤＭ信号を生成する。このＷＤＭ信号は、光スプリッタ３により基地局２ａ〜２ｄに分配される。
【００４７】
基地局２ｃの受信波長はλ３である。よって、基地局２ｃは、受信ＷＤＭ信号から光信号λ３を抽出してデータａを再生する。また、基地局２ｄの受信波長はλ４である。よって、基地局２ｄは、受信ＷＤＭ信号から光信号λ４を抽出してデータｂを再生する。そして、基地局２ｃ、２ｄは、再生データを使用して協調伝送を実行する。
【００４８】
基地局２ｃは光信号λ１３を送信し、基地局２ｄは光信号λ１４を送信する。これらの光信号は、光スプリッタ３を介して波長選択スイッチ１６の光ポートＰ０に導かれる。ここで、波長選択スイッチ１６の光ポートＰ１の出力波長はλ１３に設定さている。したがって、波長選択スイッチ１６は、光ポートＰ０を介して入力される複数の光信号から光信号λ１３を選択して光ポートＰ１を介して出力する。この結果、基地局２ｃから送信される光信号λ１３は、トランシーバ１３ａに導かれる。同様に、波長選択スイッチ１６の光ポートＰ１の出力波長はλ１４に設定さている。したがって、波長選択スイッチ１６は、光ポートＰ０を介して入力される複数の光信号から光信号λ１４を選択して光ポートＰ２を介して出力する。この結果、基地局２ｄから送信される光信号λ１４は、トランシーバ１３ｂに導かれる。
【００４９】
このように、第１の実施形態の光伝送システムにおいては、収容局１内でトランシーバ１３ａ〜１３ｄおよび波長選択スイッチ１６の設定を変更することにより、協調伝送を行う基地局を変更できる。したがって、図４に示す構成と比較して、第１の実施形態においては、協調伝送を行う基地局を変更するための動作に要する時間が短く、また、その信頼性が高い。
【００５０】
図８〜図１０は、第１の実施形態に係わる光伝送システムの構成のバリエーションを示す。なお、図８〜図１０において、１セットの光ネットワークユニット（ＯＮＵ）２１および遠隔無線ヘッド（ＲＲＨ）２２は、それぞれ基地局を構成する。また、収容局は、複数のベースバンドユニット（ＢＢＵ）１１、光加入者線終端装置（ＯＬＴ）１２、コントローラ１７、ＢＢＵコントローラ１８を備える。
【００５１】
光加入者線終端装置１２は、複数のトランシーバ１３および波長選択スイッチ１６を備える。コントローラ１７は、上述したように、複数のトランシーバ１３および波長選択スイッチ１６を制御する。ＢＢＵコントローラ１８は、基地局間の協調伝送を実行するときに、複数のベースバンドユニット１１を制御する。例えば、協調動作を行う複数の基地局が指定されると、ＢＢＵコントローラ１８は、指定された複数の基地局に対応する複数のベースバンドユニット１１を選択する。そして、ＢＢＵコントローラ１８は、選択したベースバンドユニット１１に対して、協調伝送のためのデータの生成を指示する。また、ＢＢＵコントローラ１８は、選択したベースバンドユニット１１を識別する情報をコントローラ１７に通知する。コントローラ１７は、選択されたベースバンドユニット１１に対応するトランシーバ１３および波長選択スイッチ１６の光ポートに対して、協調動作を行う基地局に対応する波長制御を行う。
【００５２】
図８に示す構成では、光加入者線終端装置１２は、複数のトランシーバ１３および１つの波長選択スイッチ１６を備える。すなわち、すべてのトランシーバ１３が波長選択スイッチ１６に光学的に接続されている。また、波長選択スイッチ１６は、光スプリッタ３を介して複数の基地局２に光学的に接続されている。
【００５３】
図９に示す構成では、光加入者線終端装置１２は、複数の波長選択スイッチ１６（１６ａ〜１６ｎ）を備える。そして、各波長選択スイッチ１６ａ〜１６ｎに対してそれぞれ複数のトランシーバ１３が接続されている。ここで、この実施例では、１つのトランシーバ１３に対して１つのベースバンドユニット１１が接続されている。すなわち、各波長選択スイッチ１６ａ〜１６ｎに対してそれぞれ複数のベースバンドユニット１１が設けられている。
【００５４】
図９に示す光伝送システムにおいて協調伝送を行う場合、ＢＢＵコントローラ１８は、協調伝送のために使用すべき複数のベースバンドユニット１１を選択する。このとき、ＢＢＵコントローラ１８は、ある１つの波長選択スイッチに対して設けられている複数のベースバンドユニット１１の中から、協調伝送のために使用される複数のベースバンドユニット１１を選択する。例えば、波長選択スイッチ１６ａに対して設けられている４つのベースバンドユニット１１の中から、協調伝送のために使用される複数のベースバンドユニット１１が選択される。この場合、協調伝送のために使用される複数のトランシーバ１３は、同じ波長選択スイッチに接続されることになる。
【００５５】
このように、協調伝送のために使用される複数のトランシーバ１３が同じ波長選択スイッチ１６に接続されるときは、協調伝送を行う基地局の変更に要する制御時間が短い。すなわち、協調伝送を行う基地局の変更が行われるときは、図６〜図７を参照しながら説明したように、波長選択スイッチ１６の設定の変更が行われる。ここで、波長選択スイッチ１６の設定の変更は、コントローラ１７から与えられる波長指示に応じて実行される。このため、複数の波長選択スイッチに波長指示を与えて各スイッチの設定を変更する構成と比較して、１つの波長選択スイッチに波長指示を与えてそのスイッチの設定を変更する構成の方が、制御時間が短くなる。また、協調伝送のために使用される複数のトランシーバ１３が同じ波長選択スイッチ１６に接続される構成においては、伝送遅延が小さい。
【００５６】
光加入者線終端装置１２の構成は、図９および図１０において実質的に同じである。ただし、図１０に示す構成では、波長選択スイッチ１６（１６ａ〜１６ｎ）は、それぞれ対応する光スプリッタ３（３ａ〜３ｎ）に接続されている。
【００５７】
図１０に示す構成においては、波長選択スイッチごと（或いは、光スプリッタごと）に基地局がグループ化されている。このため、ある基地局グループ内で協調伝送が行われている状態から他の基地局グループ内で協調伝送が行われる状態へ移行する場合、協調伝送のために使用されるベースバンドユニット１１、トランシーバ１３、波長選択スイッチ１６は変更される。例えば、グループＡ内で協調伝送が行われるときは、波長選択スイッチ１６ａおよび波長選択スイッチ１６ａに接続されるベースバンドユニット１１およびトランシーバ１３が協調伝送のために使用される。また、グループＢ内で協調伝送が行われるときは、波長選択スイッチ１６ｂおよび波長選択スイッチ１６ｂに接続されるベースバンドユニット１１およびトランシーバ１３が協調伝送のために使用される。
【００５８】
図１１は、収容局１の処理の一例を示すフローチャートである。このフローチャートの処理は、協調伝送を開始する指示または協調伝送を行う基地局を変更する指示が収容局１に与えられたときに実行される。この指示は、協調伝送を行う基地局を識別する情報を含む。なお、以下の記載では、協調伝送を行う基地局を「目的基地局」と呼ぶことがある。
【００５９】
Ｓ１において、ＢＢＵコントローラ１８は、協調伝送のために使用すべきベースバンドユニットを選択する。例えば、協調伝送を開始する指示が収容局１に与えられたときは、ＢＢＵコントローラ１８は、目的基地局のために動作するベースバンドユニットを選択する。このとき、選択すべきベースバンドユニットの数は、例えば、目的基地局の台数と同じである。なお、目的基地局のために動作するベースバンドユニットが既に選択されているときは、Ｓ１はスキップされる。以下の記載では、Ｓ１で選択されたベースバンドユニット（または、先に選択されているベースバンドユニット）を「協調伝送ベースバンドユニット」と呼ぶことがある。
【００６０】
Ｓ２において、コントローラ１７は、各目的基地局の受信波長および送信波長を特定する。目的基地局の受信波長は、その目的基地局の光ネットワークユニット２１の受信器３４が備えるバンドパスフィルタの透過波長に相当する。また、目的基地局の送信波長は、その目的基地局の光ネットワークユニット２１の送信器３３が備える波長固定光源の発振波長に相当する。なお、目的基地局の受信波長および送信波長を表す管理情報は、予め用意されて収容局１内のメモリに格納されているものとする。
【００６１】
Ｓ３において、コントローラ１７は、協調伝送ベースバンドユニットに対応するトランシーバ１３の送信波長が目的基地局の受信波長に一致するように、波長可変光源の発振波長を制御する。Ｓ４において、コントローラ１７は、協調伝送ベースバンドユニットに接続する光ポートの受信波長が目的基地局の受信波長と一致するように、波長選択スイッチ１６を制御する。Ｓ５において、コントローラ１７は、協調伝送ベースバンドユニットに接続する光ポートの出力波長が目的基地局の送信波長と一致するように、波長選択スイッチ１６を制御する。
【００６２】
コントローラ１７およびＢＢＵコントローラ１８は、例えば、与えられたプログラムを実行するプロセッサシステムにより実現される。この場合、プロセッサシステムは、プロセッサエレメントおよびメモリを含む。メモリには、各基地局２の送信波長および受信波長を管理するための情報が格納されている。なお、コントローラ１７およびＢＢＵコントローラ１８は、１つのプロセッサシステムで実現してもよいし、異なるプロセッサシステムで実現してもよい。
【００６３】
＜第２の実施形態＞
第１の実施形態の光伝送システムにおいては、収容局と複数の基地局との間で通信が行われる。ここで、収容局と複数の基地局との間の通信に障害が発生したときに、その障害の原因（或いは、障害が発生した場所）を特定できることが好ましい。そこで、第２の実施形態の光伝送システムは、収容局と複数の基地局との間の通信の障害を検出する機能を備える。
【００６４】
図１２は、第２の実施形態の光伝送システムが提供する障害検出機能の一例を示す。なお、光伝送システムの構成は、第１および第２の実施形態において実質的に同じである。ただし、第２の実施形態においては、収容局１は、図１２に示すように、障害を検出するために、光スプリッタ４１、４２、光カプラ４３、トーン信号検出器４４、状態判定部４５を備える。また、各トランシーバ１３（１３ａ〜１３ｄ）は、送信する光信号にトーン信号を重畳する機能を備える。同様に、各光ネットワークユニット２１（ＯＮＵ１〜ＯＮＵ４）も、送信する光信号にトーン信号を重畳する機能を備える。トーン信号は、障害を検出するための監視信号として使用される。
【００６５】
図１３は、光信号にトーン信号を重畳する機能の一例を示す。図１３に示す例では、トーン信号生成器５１は、トーン信号を生成する。トーン信号は、予め決められた周波数の発振信号であり、例えば、正弦波信号である。加算器５２は、データ信号にトーン信号を加算する。なお、トランシーバ１３（１３ａ〜１３ｄ）においては、データ信号は、対応するベースバンドユニット１１から与えられる。また、光ネットワークユニット２１（ＯＮＵ１〜ＯＮＵ４）においては、データ信号は、対応する遠隔無線ヘッド２２から与えられる。光源５３は、加算器５２の出力信号により駆動される。トランシーバ１３（１３ａ〜１３ｄ）においては、光源５３は、波長可変光源である。また、光ネットワークユニット２１（ＯＮＵ１〜ＯＮＵ４）においては、光源５３は、波長固定光源である。上記構成により、トーン信号が重畳された変調光信号が生成される。
【００６６】
トランシーバ１３ａ〜１３ｄおよびＯＮＵ１〜ＯＮＵ４により生成されるトーン信号の周波数は、図１４（ａ）に示すように、互いに異なっている。この実施例では、トランシーバ１３ａ、１３ｂ、１３ｃ、１３ｄにより生成されるトーン信号tone1、tone2、tone3、tone4の周波数は、それぞれ100kHz、110kHz、120kHz、130kHzである。また、ＯＮＵ１、ＯＮＵ２、ＯＮＵ３、ＯＮＵ４により生成されるトーン信号tone11、tone12、tone13、tone14の周波数は、それぞれ200kHz、210kHz、220kHz、230kHzである。すなわち、トーン信号の周波数は、トーン信号を生成する装置（トランシーバ１３ａ〜１３ｄ、ＯＮＵ１〜ＯＮＵ４）を識別する。なお、第１の実施形態と同様に、トランシーバ１３ａ〜１３ｄおよびＯＮＵ１〜ＯＮＵ４により生成される光信号の波長λ１〜λ４およびλ１１〜λ１４は互いに異なっている。
【００６７】
このように、収容局１においては、波長選択スイッチ１６の各光ポートの識別番号（Ｐ１〜Ｐ４）と、各光ポートを介して受信する光信号に重畳されているトーン信号の識別番号（tone1〜tone4）とが関連付けられている。また、基地局側では、各基地局が配置されている場所と、各基地局の送信波長（λ１１〜λ１４）と、各基地局から送信される光信号に重畳されているトーン信号の識別番号（tone11〜tone14）とが関連付けられている。
【００６８】
光スプリッタ４１は、収容局１から複数の基地局２へ向かう光信号を分岐して光カプラ４３へ導く。光スプリッタ４２は、各基地局２から収容局１へ向かう光信号を分岐して光カプラ４３へ導く。光カプラ４３は、光スプリッタ４１により分岐された光信号および光スプリッタ４２により分岐された光信号をトーン信号検出器４４へ導く。
【００６９】
トーン信号検出器４４は、光カプラ４３から導かれてくる光信号を電気信号に変換する受光器を備える。そして、トーン信号検出器４４は、受光器により生成される電気信号からトーン信号を検出する。例えば、トーン信号検出器４４は、受光器により生成される電気信号に対してＦＦＴ演算を実行することにより、トーン信号が配置されている周波数領域のスペクトルを表す周波数領域信号を得る。そして、状態判定部４５は、この周波数領域信号に基づいて、光伝送システムの障害を検出する。このとき、状態判定部４５は、各光信号に重畳されているトーン信号がそれぞれ検出されるか否かに基づいて、光伝送システムの状態を判定してもよい。
【００７０】
光伝送システムの障害を検出する方法の実施例を、図１４を参照しながら説明する。この実施例では、トランシーバ１３ａ〜１３ｄから送信される光信号には、それぞれトーン信号tone1〜tone4が重畳されている。また、光ネットワークユニット２１（ＯＮＵ１〜ＯＮＵ４）から送信される光信号には、それぞれトーン信号tone11〜tone14が重畳されている。
【００７１】
光伝送システムにおいて障害が発生していないときは、トーン信号検出器４４により全てのトーン信号が検出される。よって、図１４（ａ）に示すスペクトルが検出されたときは、状態判定部４５は、光伝送システムにおいて障害が発生していないと判定する。
【００７２】
光スプリッタ３と基地局２との間の支線が破断したときは、その支線に対応するトーン信号が検出されない。よって、図１４（ｂ）に示すスペクトル（トーン信号tone11が存在しない状態）が検出されたときは、状態判定部４５は、光スプリッタ３とＯＮＵ１との間の支線が破断したと判定する。また、図１４（ｃ）に示すスペクトル（トーン信号tone12が存在しない状態）が検出されたときは、状態判定部４５は、光スプリッタ３とＯＮＵ２との間の支線が破断したと判定する。
【００７３】
収容局１と光スプリッタ３との間の回線（即ち、ＯＮＵ１〜ＯＮＵ４の共通伝送路）が破断すると、トーン信号tone11〜tone14がいずれも検出されなくなる。したがって、図１４（ｄ）に示すスペクトルが検出されたときは、状態判定部４５は、収容局１と光スプリッタ３との間の回線が破断したと判定する。
【００７４】
図１５は、障害を検出する方法の一例を示すフローチャートである。以下の説明では、図１２に示すように、トランシーバ１３ａ〜１３ｄおよびＯＮＵ１〜ＯＮＵ４がそれぞれ光信号に異なる周波数のトーン信号を重畳するものとする。トランシーバ１３ａは、ＯＮＵ１と通信しているものとする。そして、Ｓ１１において、トランシーバ１３ａは、ＯＮＵ１から送信される主データ信号の消失を検出するものとする。この場合、トランシーバ１３ａは、主データ信号を受信できないことを表すメッセージを状態判定部４５に通知する。
【００７５】
Ｓ１２において、状態判定部４５は、トーン信号検出器４４の出力信号に基づいて、ＯＮＵ１のトーン信号が消失しているか否かを判定する。ＯＮＵ１のトーン信号が消失しているときは、状態判定部４５は、Ｓ１３において、ＯＮＵ１〜ＯＮＵ４のトーン信号がすべて消失しているか否かを確認する。そして、ＯＮＵ１〜ＯＮＵ４のトーン信号がすべて消失しているときは、状態判定部４５は、Ｓ１４において、収容局１とＯＮＵ１〜ＯＮＵ４との間の共通伝送路において障害が発生していると判定する。一方、ＯＮＵ１〜ＯＮＵ４のトーン信号のうちの少なくとも１つが検出されたときは、状態判定部４５は、Ｓ１５において、ＯＮＵ１が故障している、または、光スプリッタ３とＯＮＵ１との間の伝送路において障害が発生していると判定する。
【００７６】
ＯＮＵ１のトーン信号が存在するときは（Ｓ１２：Ｎｏ）、状態判定部４５は、Ｓ１６において、トランシーバ１３ａのトーン信号が消失しているか否かを判定する。トランシーバ１３ａのトーン信号が消失しているときは、状態判定部４５は、Ｓ１７において、トランシーバ１３ａ〜１３ｄのトーン信号がすべて消失しているか否か確認する。そして、トランシーバ１３ａ〜１３ｄのトーン信号がすべて消失しているときは、状態判定部４５は、Ｓ１８において、波長選択スイッチ１６全体が故障していると判定する。一方、トランシーバ１３ａ〜１３ｄのトーン信号のうちの少なくとも１つが検出されたときは、状態判定部４５は、Ｓ１９において、トランシーバ１３ａと接続する波長選択スイッチ１６の光ポート（図５では、光ポートＰ１）が故障していると判定する。
【００７７】
ＯＮＵ１のトーン信号が存在し、且つトランシーバ１３ａのトーン信号するときは（Ｓ１６：Ｎｏ）、状態判定部４５は、Ｓ２０において、トランシーバ１３ａと接続する波長選択スイッチ１６の光ポートに対する波長割当てが間違っていると判定する。
【００７８】
このように、状態判定部４５は、各光信号に重畳されているトーン信号をモニタすることにより、光伝送システム内で障害が発生している場所を特定または推定できる。なお、上述の障害検出は、例えば、ＯＭＣ（Optical Channel Monitor）を利用して各光チャネルの主データ信号のスペクトルをモニタすることでも実現可能である。ただし、ＯＭＣは高価である。これに対して、第２の実施形態では、フォトダイオード等に受光素子で光信号を電気信号に変換し、その電気信号のスペクトルをモニタすることで障害検出を実現できる。すなわち、第２の実施形態によれば、安価な構成で障害検出が実現される。
【００７９】
状態判定部４５は、例えば、与えられたプログラムを実行するプロセッサシステムにより実現される。この場合、プロセッサシステムは、プロセッサエレメントおよびメモリを含む。なお、このプロセッサシステムは、トーン信号検出器４４の機能の一部（即ち、ＦＦＴ演算）を提供してもよい。
【００８０】
第２の実施形態の構成は、光伝送システムの障害だけでなく、光加入者線終端装置（ＯＬＴ）１２の動作状態を検出することもできる。以下では、図１６を参照しながら、光加入者線終端装置１２の動作状態を検出する機能について記載する。
【００８１】
図１６に示す実施例では、波長選択スイッチ１６の光ポートＰ１に接続されているトランシーバ１３ａが波長λ１の光信号を送信している。ここで、トランシーバ１３ａは、光信号にトーン信号tone1を重畳する。すなわち、波長選択スイッチ１６の光ポートＰ１には、トーン信号tone1が重畳された光信号λ１が入力される。この場合、トーン信号検出器４４は、図１７（ａ）に示すスペクトルを検出する。
【００８２】
この後、収容局１は、以下の切替え動作を行なうものとする。
（１）トランシーバ１３ａの送信先をＯＮＵ１からＯＮＵ３へ変更する。
（２）トランシーバ１３ｃを使用してＯＮＵ１へデータ送信を開始する。
【００８３】
この場合、コントローラ１７は、まず、トランシーバ１３ａが接続する光ポートの受信波長とＯＮＵ３の受信波長とを同じにするために、波長選択スイッチ１６の光ポートＰ１の受信波長をλ１からλ３へ変更する。このとき、トランシーバ１３ａは、波長λ１の光信号を送信している。よって、波長選択スイッチ１６の光ポートＰ１は、トランシーバ１３ａから送信される光信号を遮断する。したがって、トーン信号検出器４４により図１７（ｂ）に示すスペクトルが検出されたときは、状態判定部４５は、波長選択スイッチ１６の光ポートＰ１の設定が正しいと判定する。
【００８４】
つづいて、コントローラ１７は、トランシーバ１３ａの送信波長とＯＮＵ３の受信波長とを同じにするために、トランシーバ１３ａの送信波長をλ１からλ３に変更する。このとき、波長選択スイッチ１６の光ポートＰ１の受信波長はλ３である。よって、波長選択スイッチ１６は、トランシーバ１３ａから送信される光信号λ３を光ポートＰ１から光ポートＰ０へ導く。この場合、光信号λ３に重畳されているトーン信号tone1がトーン信号検出器４４により検出される。したがって、トーン信号検出器４４により図１７（ｃ）に示すスペクトルが検出されたときは、状態判定部４５は、トランシーバ１３ａの設定が正しいと判定する。
【００８５】
さらに、コントローラ１７は、トランシーバ１３ｃが接続する光ポートの受信波長とＯＮＵ１の受信波長とを同じにするために、波長選択スイッチ１６の光ポートＰ３の受信波長をλ１に設定する。このとき、トランシーバ１３ｃは、未だ光信号を送信していない。したがって、トーン信号検出器４４により図１７（ｄ）に示すスペクトルが検出される。この後、コントローラ１７は、トランシーバ１３ｃの送信波長とＯＮＵ１の受信波長とを同じにするために、トランシーバ１３ｃの送信波長をλ１に設定する。このとき、波長選択スイッチ１６の光ポートＰ３の受信波長はλ１である。よって、波長選択スイッチ１６は、トランシーバ１３ｃから送信される光信号λ１を光ポートＰ３から光ポートＰ０へ導く。この場合、光信号λ１に重畳されているトーン信号tone3がトーン信号検出器４４により検出される。したがって、トーン信号検出器４４により図１７（ｅ）に示すスペクトルが検出されたときは、状態判定部４５は、波長選択スイッチ１６の光ポートＰ３の設定およびトランシーバ１３ｃの設定が正しいと判定する。
【符号の説明】
【００８６】
１  収容局
２  基地局
３  光スプリッタ
１１  ベースバンドユニット（ＢＢＵ）
１２  光加入者線終端装置（ＯＬＴ）
１３  トランシーバ
１６  波長選択スイッチ（ＷＳＳ）
１７  コントローラ
１８  ＢＢＵコントローラ
２１  光ネットワークユニット（ＯＮＵ）
２２  遠隔無線ヘッド（ＲＲＨ）
４１、４２  光スプリッタ
４３  光カプラ
４４  トーン信号検出器
４５  状態判定部
５１  トーン信号生成器
【図１】
2017103504.tif 000003
【図２】
2017103504.tif 000004
【図３】
2017103504.tif 000005
【図４】
2017103504.tif 000006
【図５】
2017103504.tif 000007
【図６】
2017103504.tif 000008
【図７】
2017103504.tif 000009
【図８】
2017103504.tif 000010
【図９】
2017103504.tif 000011
【図１０】
2017103504.tif 000012
【図１１】
2017103504.tif 000013
【図１２】
2017103504.tif 000014
【図１３】
2017103504.tif 000015
【図１４】
2017103504.tif 000016
【図１５】
2017103504.tif 000017
【図１６】
2017103504.tif 000018
【図１７】
2017103504.tif 000019